(57)【特許請求の範囲】
【請求項１】
平面視で正四角形の受光面板に入射した光によって電子を放出する光電面を有し、前記光電面から放出した電子を増倍させる電子増倍部を密封容器内に有し、前記電子増倍部で増倍させた電子に基づいて出力信号を送出するアノードをもった、平面視で正四角形の光電子増倍管において、
前記密封容器は、
前記電子増倍部及び前記アノードをステムピンを介して固定させるステム板と、
前記電子増倍部及び前記アノードを包囲すると共に、一側の開口端に前記ステム板を固定する金属製の側管と、
前記側管の他側の開口端に固定するガラス製の前記受光面板と、により形成され、
前記側管の前記他側の前記開口端には、前記受光面板の前記光電面側に埋設させた突き刺し部が設けられ、
前記受光面板の端縁には、前記側管の前記突き刺し部を前記受光面板に埋設させることによって形成された膨出部が設けられていることを特徴とする光電子増倍管。
【請求項２】
前記突き刺し部は、前記側管に沿って真っすぐに延びていることを特徴とする請求項１記載の光電子増倍管。
【請求項３】
前記突き刺し部の先端部分は、内側又は外側に曲げられていることを特徴とする請求項１記載の光電子増倍管。
【請求項４】
前記突き刺し部は、その先端をナイフエッジ状に尖らせていることを特徴とする請求項１〜３のいずれか一項記載の光電子増倍管。
【請求項５】
平面視で正四角形の受光面板に入射した光によって電子を放出する光電面を有し、前記光電面から放出した電子を増倍させる電子増倍部を密封容器内に有し、前記電子増倍部で増倍させた電子に基づいて出力信号を送出するアノードをもった、平面視で正四角形の光電子増倍管において、
前記密封容器は、
前記電子増倍部及び前記アノードをステムピンを介して固定させるステム板と、
前記電子増倍部及び前記アノードを包囲すると共に、一側の開口端に前記ステム板を固定する金属製の側管と、
前記側管の他側の開口端に固定するガラス製の前記受光面板と、により形成され、
前記側管の前記他側の前記開口端には、前記受光面板の前記光電面側に埋設させた突き刺し部が設けられ、
前記側管の前記一側の前記開口端の内壁面を金属製の前記ステム板の縁面に当接させて、金属製の前記側管と金属製の前記ステム板とを溶接したことを特徴とする光電子増倍管。
【発明の詳細な説明】
【０００１】
【発明の属する技術分野】
本発明は、受光面板に入射した微弱な光を電子の増倍によって検出させる構成をもった光電子増倍管に関するものである。
【０００２】
【従来の技術】
従来、このような分野の技術として、特開平５−２９０７９３号公報がある。この公報に記載された光電子増倍管は、密封容器内に電子増倍部を収容させた構成を有し、この密封容器は、金属製の側管の上端をフランジ状に形成し、このフランジ部を、受光面板の上面に融着するように固定させており、フランジ部による気密性確保の実効を図っている。
【０００３】
【発明が解決しようとする課題】
しかしながら、前述した従来の光電子増倍管には、次のような課題が存在していた。すなわち、図１０に示すように、側管１００の上端に全周に亙って設けられたフランジ部１０１によって、受光面板１０２の有効利用面積が狭められることになる。例えば、５０ｍｍ角の受光面板１０２において、１．５ｍｍ程度の幅Ｗをもったフランジ部１０１を、受光面板１０２の縁部分に固定すると、受光面板１０２の有効利用面積が８８パーセント程度になることが分かっている。この光電子増倍管は、確かに、８割以上の有効利用面積を確保することに成功しているが、近年において、光電子増倍管を多数並設させて利用される機会が多く、この場合に、受光面板１０２の有効利用面積を、１００％近くにすることが求められており、受光面板１０２のデッドエリアを可能な限りゼロに近づけた光電子増倍管を必要としている。しかしながら、フランジ部１０１を圧着させるようにして、側管１００と受光面板１０２とを接合させる技術では、１０％以上のデッドエリアをもってしまうといった問題点がある。そして、従来の光電子増倍管を密に多数並べた場合、かなりのデッドエリアを発生させてしまうことは想像に難くない。なお、前述した特開平５−２９０７９３号公報には、フランジ部を介在させることなく、側管１００と受光面板１０２とを接合させる技術が開示されているが、この場合、受光面板１０２は、側管１００の先端に当接させたに過ぎず、側管１００と受光面板１０２との接合の仕方を何ら開示したものではないことは明らかである。このように、側管１００上に受光面板１０２を単に載せただけでは、密封容器内での気密性確保に支障が生じる虞れがある。
【０００４】
本発明は、上述の課題を解決するためになされたもので、特に、受光面板の有効利用面積を大幅に向上させ、しかも、側管と受光面板との一体化を向上させて密封容器の気密性の向上を図るようにした光電子増倍管を提供することを目的とする。
【０００５】
【課題を解決するための手段】
請求項１に係る本発明の光電子増倍管は、平面視で正四角形の受光面板に入射した光によって電子を放出する光電面を有し、光電面から放出した電子を増倍させる電子増倍部を密封容器内に有し、電子増倍部で増倍させた電子に基づいて出力信号を送出するアノードをもった、平面視で正四角形の光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に固定するガラス製の受光面板と、により形成され、側管の他側の開口端には、受光面板の光電面側に埋設させた突き刺し部が設けられ、受光面板の端縁には、側管の突き刺し部を受光面板に埋設させることによって形成された膨出部が設けられていることを特徴とする。
【０００６】
この光電子増倍管においては、側管に突き刺し部を設けて、この突き刺し部をガラス製の受光面板に突き刺すように埋め込んでいる。従って、側管と受光面板との接合部分で極めて高い気密性が確保されることになる。しかも、側管に設けられた突き刺し部は、フランジ部のように側管から側方に向けて延び出るものではなく、側管から切り立つようにして延びるものであるから、突き刺し部を受光面板の側面に可能な限り近づけるようにして埋設させた場合に、受光面板の有効利用面積を１００％近くまで高めることに成功し、受光面板のデッドエリアを可能な限りゼロに近づけることを可能にした。このように、本発明の光電子増倍管は、従来の固定の仕方と異なる着想に立ち、受光面板の有効利用面積の限りない向上と受光面板と側管との気密性確保とを両立させるものであるといえる。
【０００７】
請求項２記載の光電子増倍管において、突き刺し部は、側管に沿って真っすぐに延びていると好ましい。このような構成を採用した場合、側管の端部を受光面板内に突き刺し易くなり、しかも、側管の延長上に突き刺し部が設けられることになるから、受光面板の有効利用面積の確保が促進される。
【０００８】
請求項３記載の光電子増倍管において、突き刺し部の先端部分は、内側又は外側に曲げられていると好ましい。このような構成を採用した場合、受光面板内に埋設させる突き刺し部の表面積を拡大することができ、側管と受光面板との接合部分での気密性の向上に寄与することになる。
【０００９】
請求項４記載の光電子増倍管において、突き刺し部は、その先端をナイフエッジ状に尖らせていると好ましい。このような構成を採用した場合、側管の端部を受光面板に突き刺し易く、ガラス製の受光面板に側管を融着固定させる際に、その組立て作業の向上及び確実性が図られることになる。
【００１０】
請求項５に係る本発明の光電子増倍管は、平面視で正四角形の受光面板に入射した光によって電子を放出する光電面を有し、光電面から放出した電子を増倍させる電子増倍部を密封容器内に有し、電子増倍部で増倍させた電子に基づいて出力信号を送出するアノードをもった、平面視で正四角形の光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に固定するガラス製の受光面板と、により形成され、側管の他側の開口端には、受光面板の光電面側に埋設させた突き刺し部が設けられ、側管の一側の開口端の内壁面を金属製のステム板の縁面に当接させて、金属製の側管と金属製のステム板とを溶接したことを特徴とする。
この光電子増倍管においては、側管に突き刺し部を設けて、この突き刺し部をガラス製の受光面板に突き刺すように埋め込んでいる。従って、側管と受光面板との接合部分で極めて高い気密性が確保されることになる。しかも、側管に設けられた突き刺し部は、フランジ部のように側管から側方に向けて延び出るものではなく、側管から切り立つようにして延びるものであるから、突き刺し部を受光面板の側面に可能な限り近づけるようにして埋設させた場合に、受光面板の有効利用面積を１００％近くまで高めることに成功し、平面視で正四角形の受光面板のデッドエリアを可能な限りゼロに近づけることを可能にした。このように、本発明の光電子増倍管は、従来の固定の仕方と異なる着想に立ち、受光面板の有効利用面積の限りない向上と受光面板と側管との気密性確保とを両立させるものであるといえる。
さらに、側管の一側の開口端の内壁面を金属製のステム板の縁面に当接させて、金属製の側管と金属製のステム板とを溶接する。このような構成を採用した場合、側管の下端の内壁面をステム板の縁面に当接させた状態で、側管とステム板とを溶接固定させる結果、光電子増倍管の下端で、フランジのような張り出しを無くしている。従って、抵抗溶接は行い難いけれども、光電子増倍管の外形寸法の縮小化を可能にし、光電子増倍管を並べて利用する場合でも、側管同士を密に並べることができる。よって、金属製のステム板と金属製の側管とが溶接によって組み付けられた光電子増倍管は、その高密度配列を可能にするものである。
【００１１】
【発明の実施の形態】
以下、図面と共に本発明による光電子増倍管の好適な実施形態について詳細に説明する。
【００１２】
図１は、本発明に係る光電子増倍管を示す斜視図であり、図２は、図１の断面図である。これら図面に示す光電子増倍管１は、略正四角筒形状の金属製（例えば、コバール金属製やステンレス製）の側管２を有し、この側管２の一側の開口端Ａにはガラス製の受光面板３が融着固定され、この受光面板３の内表面には、光を電子に変換する光電面３ａが形成され、この光電面３ａは、受光面板２に予め蒸着させておいたアンチモンにアルカリ金属蒸気を反応させることで形成される。また、側管２の開口端Ｂには、金属製（例えば、コバール金属製やステンレス製）のステム板４が溶接固定されている。このように、側管２と受光面板３とステム板４とによって密封容器５が構成され、この密封容器５は、高さが１０ｍｍ程度の極薄タイプのものである。
【００１３】
また、ステム板４の中央には金属製の排気管６が固定されている。この排気管６は、光電子増倍管１の組立て作業終了後、密封容器５の内部を真空ポンプ（図示せず）によって排気して真空状態にするのに利用されると共に、光電面３ａの形成時にアルカリ金属蒸気を密封容器５内に導入させる管としても利用される。
【００１４】
そして、密封容器５内には、ブロック状で積層タイプの電子増倍器７が設けられ、この電子増倍器７は、１０枚（１０段）の板状のダイノード８を積層させた電子増倍部９を有し、電子増倍器７は、ステム板４を貫通するように設けられたコバール金属製のステムピン１０によって密封容器５内で支持され、各ステムピン１０の先端は各ダイノード８と電気的に接続されている。また、ステム板４には、各ステムピン１０を貫通させるためのピン孔４ａが設けられ、各ピン孔４ａには、コバールガラス製のハーメチックシールとして利用されるタブレット１１が充填され、各ステムピン１０は、タブレット１１を介してステム板４に固定される。なお、各ステムピン１０には、ダイノード用のものとアノード用のものとがある。
【００１５】
更に、電子増倍器７には、電子増倍部９の下方に位置してステムピン１０の上端に固定したアノード１２が並設させられている。また、電子増倍器７の最上段において、光電面３ａと電子増倍部９との間には平板状の収束電極板１３が配置され、この収束電極板１３には、スリット状の開口部１３ａが複数本形成され、各開口部１３ａは一方向にリニアな配列をなす。同様に、電子増倍部９の各ダイノード８には、開口部１３ａと同数のスリット状電子増倍孔８ａが複数本形成され、各電子増倍孔８ａを一方向にリニアで、紙面と垂直な方向に複数配列させている。
【００１６】
そして、各ダイノード８の各電子増倍孔８ａを段方向にそれぞれ配列してなる各電子増倍経路Ｌと、収束電極板１３の各開口部１３ａとを一対一で対応させることによって、電子増倍器７には、複数のチャンネルが形成されることになる。また、電子増倍器７に設けられた各アノード１２は所定数のチャンネル毎に対応するように８×８個設けられ、各アノード１２を各ステムピン１０にそれぞれ接続させることで、各ステムピン１０を介して外部に個別的な出力を取り出している。
【００１７】
このように、電子増倍器７は、複数のリニア型チャンネルを有している。そして、図示しないブリーダ回路に接続した所定のステムピン１０によって、電子増倍部９及びアノード１２には所定の電圧が供給され、光電面３ａと収束電極板１３とは、同じ電位に設定され、各ダイノード８とアノード１２は、上段から順に高電位の設定がなされている。従って、受光面板２に入射した光は、光電面３ａで電子に変換され、その電子が、収束電極板１３と電子増倍機７の最上段に積層されている第１段のダイノード８とによって形成される電子レンズ効果により、所定のチャンネル内に入射することになる。そして、電子の入射したチャンネルにおいて、電子は、ダイノード８の電子増倍経路Ｌを通りながら、各ダイノード８で多段増倍されて、アノード１２に入射し、所定のチャンネル毎に個別的な出力が各アノード１２から送出されることになる。
【００１８】
また、図３に示すように、金属製のステム板４と金属製の側管２とを気密溶接するにあたって、ステム板４を側管２の開口端Ｂから挿入し、側管２の下端２ａの内壁面２ｃをステム板４の縁面４ｂに当接させ、ステム板４の下面４ｃと側管２の下端面２ｄとを概ね面一にし、ステム板４から側管２の下端面２ｄが突き出ないようにする。よって、側管２の下端２ａの外壁面２ｂを略管軸方向に延在させると同時に、電子増倍管１の下端でフランジのような側方への張り出しを無くしている。この状態で、接合部分Ｆに対し、外側の真下あるいは接合部分を狙える方向からレーザビームを照射し、接合部分Ｆをレーザ溶接する。
【００１９】
このように、光電子増倍管１の下端で、フランジのような張り出しを無くす結果、抵抗溶接は行い難いけれども、光電子増倍管１の外形寸法の縮小化を可能にし、光電子増倍管１を並べて利用する場合でも、デッドスペースを可能な限り排除することができ、側管２同士を密に配列させることができる。よって、金属製のステム板４と金属製の側管２との接合にレーザ溶接を採用することは、光電子増倍管１の薄型化及びその高密度配列化を可能にする。
【００２０】
このようなレーザ溶接は融接法の一例であり、この融接法を利用し、側管２をステム板４に溶接固定する場合、抵抗溶接と異なり、側管２とステム板４との接合部分Ｆに圧力を加える必要がないので、接合部分Ｆに残留応力が発生することがなく、使用中においても接合箇所に亀裂が発生し難く、耐久性及び気密シール性の著しい向上が図られる。なお、融接法のうちでも、レーザ溶接や電子ビーム溶接は、抵抗溶接に比して、接合部分Ｆでの熱の発生を小さく抑えることができる。従って、光電子増倍管１の組立てにあたって、密封容器５内に配置させた各構成部品に対する熱への影響が極めて少なくなる。
【００２１】
ここで、側管２は、コバール金属やステンレス等からなる平板を、肉厚０．２５ｍｍ、高さ７ｍｍ程度の略正四角筒形状にプレス加工することで得られるものであり、この側管２の一側の開口端Ａにガラス製の受光面板３を融着固定させている。図４に示すように、側管２の受光面板３側の先端部分（上端）には、高周波加熱によって、受光面板３の光電面３ａ側に溶融埋設させる突き刺し部２０が設けられている。この突き刺し部２０は、側管２の上端の全周に亙って設けられると共に、その外壁面２ｂ側に位置するＲ形状部２０ａを介して、内側に押し曲げられるようにして形成されている。そして、突き刺し部２０の先端２０ｂは、ナイフエッジ状に尖らせてある。従って、側管２の上端を受光面板３に突き刺し易く、ガラス製の受光面板３に側管２を融着固定させる際に、その組立て作業の向上及び確実性が図られることになる。
【００２２】
このような形状の突き刺し部２０をもった側管２を、受光面板３に固定するにあたって、先ず、側管２の突き刺し部２０の先端２０ｂに受光面板３の裏面を当接させた状態で、金属製の側管２を回転台の上に配置させる。その後、高周波加熱装置によって金属製の側管２を加熱させるが、このとき、受光面板３を、加圧治具により上から押えつけた状態にしておく。すると、加熱された側管２の突き刺し部２０が、ガラス製の受光面板３を徐々に溶かしながら突き進むことになる。その結果、受光面板３の下端縁に膨出部３ｂを形成しながら、側管２の突き刺し部２０が受光面板３に埋設され、受光面板３と側管２との接合部分で高気密性が確保される。
【００２３】
このような膨出部３ｂは、突き刺し部２０の近傍で受光面板３の側面３ｃの一部に発生するだけであり、受光面板３の側面３ｃ全体に亙った面ダレを引き起こすものではない。従って、受光面３ｄの縁形状に悪影響を与えることがなく、平滑化が図られている受光面板３の形状を確実に維持させることができる。
【００２４】
また、突き刺し部２０は、フランジ部のように側管２から側方に向けて延び出るものではなく、側管２から切り立つようにして延びるものであるから、突き刺し部２０を受光面板３の側面３ｃに可能な限り近づけるようにして埋設させると、受光面板３の有効利用面積を１００％近くまで高めることができ、受光面板３のデッドエリアを可能な限りゼロに近づけることができる。更に、突き刺し部２０は、内側に曲げられるように形成する結果、受光面板３内に埋設させる突き刺し部２０の表面積の拡大化が図られ、側管２と受光面板３との接合面積を大きくすることができ、密封容器５の気密性の向上に寄与することになる。なお、突き刺し部２０は、０．１ｍｍ程度の僅かな突出量Ｈをもって内側に張り出しており、これはプレス加工によって作り出すと適切である。
【００２５】
同様に、図５に示すように、側管２Ａの受光面板３側の先端部分（上端）には、高周波加熱によって、受光面板３の光電面３ａ側に溶融埋設させる突き刺し部３０が設けられている。この突き刺し部３０は、側管２Ａの上端の全周に亙って設けられると共に、その内壁面２ｃ側に位置するＲ形状部３０ａを介して、外側に押し曲げられるようにして形成されている。そして、突き刺し部３０の先端３０ｂは、ナイフエッジ状に尖らせてある。従って、側管２Ａの上端を受光面板３０に突き刺し易く、ガラス製の受光面板３に金属製の側管２Ａを融着固定させる際に、その組立て作業の向上及び確実性が図られることになる。この場合、受光面板３の下端縁に膨出部３ｂを形成しながら、側管２Ａの突き刺し部３０が受光面板３に埋設され、受光面板３と側管２Ａとの接合部分での高気密性が確保される。
【００２６】
更に、突き刺し部３０は、外側に曲げられるように形成する結果、受光面板３内に埋設させる突き刺し部３０の表面積の拡大化が図られ、側管２Ａと受光面板３との接合面積を大きくすることができ、密封容器５の気密性の向上に寄与することになる。なお、突き刺し部３０は、０．１ｍｍ程度の僅かな突出量Ｈをもって外側に張り出しており、これはプレス加工によって作り出すと適切である。
【００２７】
本発明に係る光電子増倍管１に適用させる側管は、前述した実施形態に限定されるものではない。
【００２８】
例えば、図６に示すように、突き刺し部４０を側管２Ｂに沿って真っすぐに立ち上げてもよい。この場合、突き刺し部４０は、側管２Ｂの延長上に位置し、側管２Ｂを端切り加工しただけの最もシンプルな形状になっている。なお、突き刺し部４０の表面積の拡大及びガラスの馴染み性を向上させるために、突き刺し部４０の先端を丸めるようにしてもよい。
【００２９】
また、図７に示すように、突き刺し部５０は、側管２Ｃに沿って真っすぐに延在し、両刃のナイフエッジ状に尖らせている。従って、側管２Ｃを融着固定させるに当たって、側管２Ｃを、受光面板３内に極めて差し込み易くすることができる。
【００３０】
また、図８に示すように、突き刺し部６０は、側管２Ｄに沿って真っすぐに延在し、片刃のナイフエッジ状に尖らせている。更に、突き刺し部６０の表面積の拡大及びガラスの馴染み性の向上のために、突き刺し部６０には、側管２Ｄの内壁面２ｃ側にＲ形状部６０ａが設けられている。同様に、図９に示すように、突き刺し部７０は、側管２Ｅに沿って真っすぐに延在し、片刃のナイフエッジ状に尖らせている。更に、突き刺し部７０には、側管２Ｅの外壁面２ｂ側にＲ形状部７０ａが設けられている。
【００３１】
本発明に係る光電子増倍管は、前述した実施形態に限定されるものではない。例えば、突き刺し部の形状としては、断面ボール状であっても断面矢じり状であってもよい。
【００３２】
【発明の効果】
本発明による光電子増倍管は、以上のように構成されているため、次のような効果を得る。すなわち、平面視で正四角形の受光面板に入射した光によって電子を放出する光電面を有し、光電面から放出した電子を増倍させる電子増倍部を密封容器内に有し、電子増倍部で増倍させた電子に基づいて出力信号を送出するアノードをもった、平面視で正四角形の光電子増倍管において、
密封容器は、電子増倍部及びアノードをステムピンを介して固定させるステム板と、電子増倍部及びアノードを包囲すると共に、一側の開口端にステム板を固定する金属製の側管と、側管の他側の開口端に固定するガラス製の受光面板と、により形成され、側管の他側の開口端には、受光面板の光電面側に埋設させた突き刺し部が設けられ、受光面板の端縁には、側管の突き刺し部を受光面板に埋設させたことによって形成された膨出部が設けられていることにより、受光面板の有効利用面積を大幅に向上させ、しかも、側管と受光面板との一体化を向上させて密封容器の気密性の向上を可能にした。
また、本発明による光電子増倍管は、平面視で正四角形の受光面板に入射した光によって電子を放出する光電面を有し、光電面から放出した電子を増倍させる電子増倍部を密封容器内に有し、電子増倍部で増倍させた電子に基づいて出力信号を送出するアノードをもった、平面視で正四角形の光電子増倍管において、密封容器は、電子増倍部及びアノードをステムピンを介して固定させるステム板と、電子増倍部及びアノードを包囲すると共に、一側の開口端にステム板を固定する金属製の側管と、側管の他側の開口端に固定するガラス製の受光面板と、により形成され、側管の他側の開口端には、受光面板の光電面側に埋設させた突き刺し部が設けられ、側管の一側の開口端の内壁面を金属製のステム板の縁面に当接させて、金属製の側管と金属製のステム板とを溶接したことにより、受光面板の有効利用面積を大幅に向上させ、しかも、側管と受光面板との一体化を向上させて密封容器の気密性の向上を可能にした。
【図面の簡単な説明】
【図１】本発明に係る光電子増倍管の一実施形態を示す斜視図である。
【図２】図１のＩＩ−ＩＩ線に沿う断面図である。
【図３】図２の要部拡大断面図である。
【図４】本発明に係る光電子増倍管に適用する側管の第１の変形例を示す要部拡大断面図である。
【図５】本発明に係る光電子増倍管に適用する側管の第２の変形例を示す要部拡大断面図である。
【図６】本発明に係る光電子増倍管に適用する側管の第３の変形例を示す要部拡大断面図である。
【図７】本発明に係る光電子増倍管に適用する側管の第４の変形例を示す要部拡大断面図である。
【図８】本発明に係る光電子増倍管に適用する側管の第５の変形例を示す要部拡大断面図である。
【図９】本発明に係る光電子増倍管に適用する側管の第６の変形例を示す要部拡大断面図である。
【図１０】従来の光電子増倍管に適用する側管を示す断面図である。
【符号の説明】
１…光電子増倍管、２，２Ａ，２Ｂ，２Ｃ，２Ｄ，２Ｅ…側管、２ｃ…内壁面、３…受光面板、３ａ…光電面、４…ステム板、４ｂ…ステム板の縁面、５…密封容器、９…電子増倍部、１０…ステムピン、１２…アノード、２０，３０，４０，５０，６０，７０…突き刺し部、Ａ，Ｂ…側管の開口端。
【図１】
0004237308.tif 000002
【図２】
0004237308.tif 000003
【図３】
0004237308.tif 000004
【図４】
0004237308.tif 000005
【図５】
0004237308.tif 000006
【図６】
0004237308.tif 000007
【図７】
0004237308.tif 000008
【図８】
0004237308.tif 000009
【図９】
0004237308.tif 000010
【図１０】
0004237308.tif 000011